【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
情報を表示可能な表示部と、
前記表示部へのユーザ操作を受け付けるタッチパネルと、
人の存在を非接触で検出可能な人感センサと、
情報が表示されていない前記表示部へのユーザ操作が前記タッチパネルによって受け付けられると、所定の機能を実行させるための所定のオブジェクトを前記表示部に表示し、前記所定のオブジェクトに対するユーザ操作が前記タッチパネルによって受け付けられると、前記所定の機能を実行する制御手段と、
を備え、
前記制御手段は、前記人感センサにより前記人の存在が検出されると、前記検出後、所定時間経過したことを条件として、前記所定の機能を実行させるための前記所定のオブジェクトを前記表示部に表示する
ことを特徴とする画像形成装置。
【請求項２】
前記所定時間中は、前記タッチパネルにより受け付けたユーザ操作を無効化する
ことを特徴とする請求項１に記載の画像形成装置。
【請求項３】
前記制御手段は、前記表示部に情報が表示されていない状態で、前記人感センサにより前記人の存在が検出にされると、前記検出後、所定時間経過したことを条件として、前記所定の機能を実行させるための前記所定のオブジェクトを前記表示部に表示する
ことを特徴とする請求項１または２に記載の画像形成装置。
【請求項４】
前記制御手段は、前記所定のオブジェクトに対するユーザ操作により、前記所定のオブジェクトに対応する画面を前記表示部に表示する
ことを特徴とする請求項１乃至３のいずれか１項に記載の画像形成装置。
【請求項５】
前記所定の機能は、前記表示部に表示された前記所定のオブジェクトを含む画面から、前記所定のオブジェクトに対応する画面への画面遷移である
ことを特徴とする請求項１乃至４のいずれか１項に記載の画像形成装置。
【請求項６】
前記制御手段は、少なくとも前記タッチパネルへのユーザ操作を受け付ける操作制御部と前記表示部への表示を制御する本体制御部とを有し、
前記所定時間中は、前記操作制御部で受け付けた前記ユーザ操作に応じて、出力するべき信号を前記本体制御部に出力しない
ことを特徴とする請求項１乃至５のいずれか１項に記載の画像形成装置。
【請求項７】
前記信号は、前記タッチパネル上の前記ユーザ操作があった位置を示す座標データ信号である
ことを特徴とする請求項６に記載の画像形成装置。
【請求項８】
前記制御手段は、少なくとも前記表示部へのユーザ操作を受け付ける操作制御部と前記表示部への表示を制御する本体制御部とを有し、
前記所定時間中は、前記本体制御部は、前記操作制御部からの信号の入力を受け付けるが、入力された信号に基づく処理を実行しない
ことを特徴とする請求項１乃至５のいずれか１項に記載の画像形成装置。
【請求項９】
前記信号は、前記タッチパネル上の前記ユーザ操作があった位置を示す座標データ信号である
ことを特徴とする請求項８に記載の画像形成装置。
【請求項１０】
前記信号に基づく処理は、前記所定のオブジェクトへの操作があった位置に対応して、前記オブジェクトに対応する画面を表示部に表示するための画像データ信号を生成する処理である
ことを特徴とする請求項８または９に記載の画像形成装置。
【請求項１１】
前記所定時間にわたって計時を行う計時手段をさらに有し、
前記計時手段は、前記計時が終了する前に前記表示部への操作が検出された場合、前記計時を最初からやり直し、前記所定時間は前記計時が終了するまで続く
ことを特徴とする請求項１乃至１０のいずれか１項に記載の画像形成装置。
【請求項１２】
前記所定の機能を実行するための所定のオブジェクトを含む画面は、ホーム画面である
ことを特徴とする請求項１乃至１１のいずれか１項に記載の画像形成装置。
【請求項１３】
前記人感センサは、超音波センサである
ことを特徴とする請求項１乃至１２のいずれか１項に記載の画像形成装置。
【請求項１４】
前記人感センサは、赤外線センサである
ことを特徴とする請求項１乃至１２のいずれか１項に記載の画像形成装置。
【請求項１５】
前記所定の機能を実行させるための所定のオブジェクトは、前記所定の機能が認識可能な表示である
ことを特徴とする請求項１乃至１４のいずれか１項に記載の画像形成装置。
【請求項１６】
用紙に画像を形成する印刷手段を備える
ことを特徴とする請求項１乃至１５のいずれか１項に記載の画像形成装置。
【請求項１７】
情報が表示されていない表示部へのユーザ操作がタッチパネルによって受け付けられると、所定の機能を実行させるための所定のオブジェクトを前記表示部に表示する第１表示ステップと、
前記所定のオブジェクトに対するユーザ操作が前記タッチパネルによって受け付けられると、前記所定の機能を実行する実行ステップと、
人の存在を非接触で検出可能な人感センサにより前記人の存在が検出されると、前記検出後、所定時間経過したことを条件として、前記所定の機能を実行させるための前記所定のオブジェクトを前記表示部に表示する第２表示ステップと備える
ことを特徴とする画像形成装置の制御方法。
【請求項１８】
コンピュータを、請求項１乃至１６のいずれか１項に記載の画像形成装置の各手段として機能させるためのプログラム。
【請求項１９】
情報を表示可能な表示部と、
前記表示部へのユーザ操作を受け付けるタッチパネルと、
人の存在を非接触で検出可能な人感センサと、
情報が表示されていない前記表示部へのユーザ操作が前記タッチパネルによって受け付けられると、所定の機能を実行させるための所定のオブジェクトを前記表示部に表示し、前記人感センサにより前記人の存在が検出されると、前記所定のオブジェクトを前記表示部に表示し、前記所定のオブジェクトに対するユーザ操作が前記タッチパネルによって受け付けられると、前記所定の機能を実行する制御手段と、
を備え、
前記制御手段は、前記人感センサにより前記人の存在が検出されると、前記検出後、所定期間経過したときに、前記所定の機能を実行させるための前記所定のオブジェクトに対するユーザ操作が可能となる、ことを特徴とする画像形成装置。
【請求項２０】
前記所定期間中は、前記タッチパネルにより受け付けたユーザ操作を無効化する
ことを特徴とする請求項１９に記載の画像形成装置。
【請求項２１】
前記制御手段は、前記表示部に情報が表示されていない状態で、前記人感センサにより前記人の存在が検出にされると、前記所定のオブジェクトを表示するが、前記検出後、所定期間経過するまでは、前記所定のオブジェクトに対するユーザ操作を無効化する
ことを特徴とする請求項１９または２０に記載の画像形成装置。
【請求項２２】
前記制御手段は、前記所定のオブジェクトに対するユーザ操作により、前記所定のオブジェクトに対応する画面を前記表示部に表示する
ことを特徴とする請求項１９乃至２１のいずれか１項に記載の画像形成装置。
【請求項２３】
前記所定の機能は、前記表示部に表示された前記所定のオブジェクトを含む画面から、前記所定のオブジェクトに対応する画面への画面遷移である
ことを特徴とする請求項１９乃至２２のいずれか１項に記載の画像形成装置。
【請求項２４】
前記制御手段は、少なくとも前記タッチパネルへのユーザ操作を受け付ける操作制御部と前記表示部への表示を制御する本体制御部とを有し、
前記所定期間中は、前記操作制御部で受け付けた前記ユーザ操作に応じて、出力するべき信号を前記本体制御部に出力しない
ことを特徴とする請求項１９乃至２３のいずれか１項に記載の画像形成装置。
【請求項２５】
前記信号は、前記タッチパネル上の前記ユーザ操作があった位置を示す座標データ信号である
ことを特徴とする請求項２４に記載の画像形成装置。
【請求項２６】
前記制御手段は、少なくとも前記表示部へのユーザ操作を受け付ける操作制御部と前記表示部への表示を制御する本体制御部とを有し、
前記所定期間中は、前記本体制御部は、前記操作制御部からの信号の入力を受け付けるが、入力された信号に基づく処理を実行しない
ことを特徴とする請求項１９乃至２３のいずれか１項に記載の画像形成装置。
【請求項２７】
前記信号は、前記タッチパネル上の前記ユーザ操作があった位置を示す座標データ信号である
ことを特徴とする請求項２６に記載の画像形成装置。
【請求項２８】
前記信号に基づく処理は、前記所定のオブジェクトへの操作があった位置に対応して、前記オブジェクトに対応する画面を表示部に表示するための画像データ信号を生成する処理である
ことを特徴とする請求項２６または２７に記載の画像形成装置。
【請求項２９】
前記所定期間にわたって計時を行う計時手段をさらに有し、
前記計時手段は、前記計時が終了する前に前記表示部への操作が検出された場合、前記計時を最初からやり直し、前記所定期間は前記計時が終了するまで続く
ことを特徴とする請求項１９乃至２８のいずれか１項に記載の画像形成装置。
【請求項３０】
前記所定の機能を実行するための所定のオブジェクトを含む画面は、ホーム画面である
ことを特徴とする請求項１９乃至２９のいずれか１項に記載の画像形成装置。
【請求項３１】
前記人感センサは、超音波センサである
ことを特徴とする請求項１９乃至３０のいずれか１項に記載の画像形成装置。
【請求項３２】
前記人感センサは、赤外線センサである
ことを特徴とする請求項１９乃至３０のいずれか１項に記載の画像形成装置。
【請求項３３】
前記所定の機能を実行させるための所定のオブジェクトは、前記所定の機能が認識可能な表示である
ことを特徴とする請求項１９乃至３２のいずれか１項に記載の画像形成装置。
【請求項３４】
用紙に画像を形成する印刷手段を備える
ことを特徴とする請求項１９乃至３３のいずれか１項に記載の画像形成装置。
【請求項３５】
情報が表示されていない表示部へのユーザ操作がタッチパネルによって受け付けられると、所定の機能を実行させるための所定のオブジェクトを前記表示部に表示する第１表示ステップと、
人の存在を非接触で検出可能な人感センサにより前記人の存在が検出されると、前記所定のオブジェクトを前記表示部に表示する第２表示ステップと、
前記所定のオブジェクトに対するユーザ操作が前記タッチパネルによって受け付けられると、前記所定の機能を実行する実行ステップと、を備え、
前記人感センサにより前記人の存在が検出されると、前記検出後、所定期間経過したときに、前記所定の機能を実行させるための前記所定のオブジェクトに対するユーザ操作が可能となる、ことを特徴とする画像形成装置の制御方法。
【請求項３６】
コンピュータを、請求項１９乃至３４のいずれか１項に記載の画像形成装置の各手段として機能させるためのプログラム。
【手続補正２】
【補正対象書類名】明細書
【補正対象項目名】０００８
【補正方法】変更
【補正の内容】
【０００８】
本発明の画像形成装置は、情報を表示可能な表示部と、前記表示部へのユーザ操作を受け付けるタッチパネルと、人の存在を非接触で検出可能な人感センサと、情報が表示されていない前記表示部へのユーザ操作が前記タッチパネルによって受け付けられると、所定の機能を実行させるための所定のオブジェクトを前記表示部に表示し、前記所定のオブジェクトに対するユーザ操作が前記タッチパネルによって受け付けられると、前記所定の機能を実行する制御手段と、を備え、前記制御手段は、前記人感センサにより前記人の存在が検出されると、前記検出後、所定時間経過したことを条件として、前記所定の機能を実行させるための前記所定のオブジェクトを前記表示部に表示することを特徴とする。